(57)【特許請求の範囲】
【請求項１】
床パネル体を床基盤上に支承する床パネル体支持具であって、
床パネル体の下面に接触する支持板と、この支持板を床基盤上に保持する保持具と、床パネル体を上記支持板に締結する固定部材とからなり、
上記支持板は雌ねじ部が形成され、
上記固定部材は、上記支持板の雌ねじ部に床側からねじ込まれるねじ部及び頭部を備えたボルトと、
回転工具が係合する係合部を備え上記支持板との間で上記床パネル体を挟む頭部、及びこの頭部から延設され上記床パネル体に穿設された締結用孔部に挿入できる筒鞘部からなり、上記筒鞘部に上記ボルトのねじ部先端にねじ込まれる雌ねじ部が形成された締付部材とからなり、
上記締付部材のねじ込みの際には、上記支持板の雌ねじ部に上記ボルトを床側からこのボルトの頭部が上記支持板に当接するまでねじ込み、上記床パネル体の締結用孔部を上記ボルトのねじ部に嵌め込み、この締結用孔部の上方から上記ボルトに上記締付部材の筒鞘部をねじ込み、上記締結用孔部に没入する上記頭部で上記床パネル体を挟んで固定する一方、
上記締付部材の取り外しの際には、上記締付部材を緩み方向に回し、この締付部材と共に上記ボルトが回転する場合にはこのボルトの頭部が上記支持板に当接した後、続けてこの締付部材を緩み方向に回して上記ボルトから取り外すことを特徴とする床パネル体支持具。
【請求項２】
上記支持板は円盤状であり、その中心部に脚部が取り付けられ、周囲の４か所に９０°を隔てて雌ねじ部が形成されている請求項１に記載の床パネル体支持具。
【請求項３】
上記保持具は床基盤と支持板との間隔を調整可能に支持する請求項１に記載の床パネル体支持具。
【請求項４】
２本の枠材間に一定長さの木製床板材を平行に複数並べ、これらの床板材の両端縁を前記枠材で固定し、四角形状のパネル体を構成した床パネル体を複数隣接させて床基盤上に請求項１、請求項２、又は請求項３に記載の床パネル体支持具で床パネル体を規則的に配置して床面を構成する床構造。
【請求項５】
床基盤上に配置する複数の床パネル体のうち隣接する４台の床パネル体を各床パネル体の隅部を近接させて配置し、この近接した４台の床パネル体を、各隅部を近接させて配置し、この近接した４台の床パネル体の隅部を床基盤からの高さ位置を同時に支承する請求項４記載の床構造。
【発明の詳細な説明】
【０００１】
【発明の属する技術分野】
この発明は床パネル体支持具及び床構造に係り、特に屋内外に配置されるベランダや木造デッキ等の床構造を構成するのに好適であり、木製の床板材が複数並設されて構成された四角形の床パネル体を複数隣接させてコンクリートスラブ等の床基盤上に規則的に配置して木製の床面を構成することができる床パネル体支持具、及び床構造に関する。
【０００２】
【従来の技術】
従来床構造として、屋外に配置されたベランダ等のコンクリートスラブ上に木製の床パネル体を配置して構成しているものがある。このような床構造においては、床パネル体は、木製の２本の枠材の間に複数の床板材をそれぞれの間隔を開けて並べて、この床板材の両端部を上記枠材に金属釘で固定し、簀子板状としたものを用い、この床パネル体を直接コンクリートスラブ上に配置するもとのしている。
【０００３】
【発明が解決しようとする課題】
ところで、上述した従来の床構造あっては、ベランダ等の屋外における床は、雨水等を水はけを良好とするため傾斜して設けられているため、この床面上に床パネル体を直接設置するので、床パネル体で形成した床面も傾斜したままとなる。
【０００４】
また、コンクリートスラブの平面度も必ずしも良好でないので、コンクリートスラブの表面に多少でも凹凸があると、この床面上に配置した床パネルを安定して配置することができず、がたつきが生じることとなる。
【０００５】
さらに、ベランダに木製の床を配置する場合には、ベランダに設置する木床と室内の床面とに段差なしに、同じレベルであることが望まれる。この要望に応えるために従来の床構造では枠材の高さを高くして木床と室内床とのレベルを同一にすることができるが、実際的ではない。
【０００６】
そこで、本件特許出願人は、このような床構造に使用する床パネル及び床パネル体支持具として、図１４に示すものを提案している（特願平１０−３７３９７７号）。
【０００７】
図１４において、床パネル体支持具１３０は、床パネル体１０に接触する略円板状の支持板１３１と、この支持板１３１を床基盤１からの高さ位置変更可能に保持する保持具１３２とからなる。また、この保持具１３２は、支持板１３１にねじ込まれるねじ棒１３３と、このねじ棒１３３の下端に設けられた平板部１３４と、この平板部１３４を床基盤１上に回動可能に支承する弾力体例えば硬質ゴムで形成された支持台部１３５とからなる。更に、ねじ棒１３３の上端部には、ねじ棒１３３回転用の係合凹部１３６が設けられ、ねじ棒１３３の上端部を上記床パネル体１０の隅部の間から回転して、支持板１３１を上下動させて支持板１３１の床基盤１からの高さを変えることができるものとしている。
【０００８】
前記支持板１３１には、その中央部に上記ねじ棒１３３がねじ込まれる雌ねじ部１４０が内部に形成され、下方に向けて突出するヘミング形成がされたねじ棒螺合部１３７が形成されている。さらに、この支持板１３１には、前記ねじ棒螺合部１３７を中心とした円周上に９０度ずつ離れて、上記床パネル体１０の係合孔１６に嵌まり、床パネル体１０と支持具１３０との位置関係を定める係合突起１３８が４か所に形成されている。この係合突起１３８はヘミング加工で上方に突出形成され、内部には上記床パネル体１０を固定するため床パネル体１０の上方から挿入される六角ボルト１４１が螺合する雌ねじ部１４２が形成されている。また、この支持板１３１の周縁は下方に向け、垂下縁部１３９が形成されている。
【０００９】
このような従来の床パネル体支持具では、床パネル体１０を支持板１３１上に固定する六角ボルト１４１を床パネル体の上側から係合孔１６を通して係合突起１３８の雌ねじ部１４２にねじ込まなければならず、施工の際には、係合孔１６に六角ボルト４１の先端を挿入し、手さぐりで六角ボルト１４１の先端を雌ねじ部１４２にねじ込むものであり、その作業は煩雑なものとなっていた。
【００１０】
そこで本発明は、床パネル体を支持具の支持板上に容易にとりつけることができる床パネル体支持具及び床構造を提供することを目的とする。
【００１１】
【課題を解決するための手段】
上記課題を解決するために、請求項１に記載の発明は、床パネル体を床基盤上に支承する床パネル体支持具であって、床パネル体の下面に接触する支持板と、この支持板を床基盤上に保持する保持具と、床パネル体を上記支持板に締結する固定部材とからなり、上記支持板は雌ねじ部が形成され、上記固定部材は、上記支持板の雌ねじ部に床側からねじ込まれるねじ部及び頭部を備えたボルトと、回転工具が係合する係合部を備え上記支持板との間で上記床パネル体を挟む頭部、及びこの頭部から延設され上記床パネル体に穿設された締結用孔部に挿入できる筒鞘部からなり、上記筒鞘部に上記ボルトのねじ部先端にねじ込まれる雌ねじ部が形成された締付部材とからなり、上記締付部材のねじ込みの際には、上記支持板の雌ねじ部に上記ボルトを床側からこのボルトの頭部が上記支持板に当接するまでねじ込み、上記床パネル体の締結用孔部を上記ボルトのねじ部に嵌め込み、この締結用孔部の上方から上記ボルトに上記締付部材の筒鞘部をねじ込み、上記締結用孔部に没入する上記頭部で上記床パネル体を挟んで固定する一方、上記締付部材の取り外しの際には、上記締付部材を緩み方向に回し、この締付部材と共に上記ボルトが回転する場合にはこのボルトの頭部が上記支持板に当接した後、続けてこの締付部材を緩み方向に回して上記ボルトから取り外すことを構成とする床パネル体支持具である。
【００１２】
請求項２に記載の発明は、上記請求項１に記載の支持板は円盤状であり、その中心部に脚部が取り付けられ、周囲の４か所に９０°を隔てて雌ねじ部が形成されている床パネル体支持具である。
【００１３】
請求項３に記載の発明は、上記請求項１に記載の保持具は床基盤と支持板との間隔を調整可能に支持する床パネル体支持具である。
【００１５】
請求項４に記載の発明は、２本の枠材間に一定長さの木製床板材を平行に複数並べ、これらの床板材の両端縁を前記枠材で固定し、四角形状のパネル体を構成した床パネル体を複数隣接させて床基盤上に請求項１、請求項２、又は請求項３に記載の床パネル体支持具で床パネル体を規則的に配置して床面を構成する床構造である。
【００１６】
本発明で、床パネル体支持具を用いて床パネル体を床基盤上に配置するとき、まず床基盤上の所定個所に床パネル体支持具を配置する。このとき、あらかじめ床パネル体支持具の支持板には雌ねじ部にボルトが床側からボルトの頭部が支持板の床基盤側面に接触するまでねじ込まれている。このため、床パネル体に形成された孔部にボルトを挿入することにより、床パネル体支持具上に床パネル体を容易に配置できる。次にこのボルトのねじ部先端に締付部材をねじ込む。このとき締付部材の筒鞘部を床パネル体の孔部に挿入するだけで締付部材の雌ねじ部をボルトのねじ部先端に容易に位置合わせし、ねじ込むことができる。
【００１７】
【発明の実施の形態】
以下本発明に係る床構造の実施の形態について説明する。図１乃至図１３は、本発明に係る床パネル体支持具及び床構造の実施の形態を示すものである。
【００１８】
本例では、図１乃至図３に示すように、コンクリート製の床基盤１上に床パネル体１０を配置して木製の床面を構成するものである。
【００１９】
この例においては、床パネル体１０は全体略正方形状に形成されている。この床パネル体１０は図２及び図３に示すように、アルミニウム型材からなる２本の枠材１１と、超耐候製の材木、例えば「メルバウ」や「セランガンバツ」からなる５枚の床板材２０とから構成されている。
【００２０】
即ち、本例に係る床パネル体１０は、２本の枠材１１間に一定長さの木製床板材２０を平行に５本並べ、これらの床板材の両端縁２０ａを前記枠材１１に組付けて木ねじで固定し、全体を正方形状として構成したものである。尚、全体形状は、正方形に限られず長方形でもよい。
【００２１】
枠材１１の断面形状は一定で、図１に示すように、鉛直方向に形成され上記床板材の端面に当接する縦板部１２と、縦板部１２の上端１２ａから水平方向に延設され上記床材の端面から内部に嵌入される嵌入板部１３と、上記縦板部の嵌入板部延設位置より下側位置から水平方向に延設され上記床板材２０の下端面に配置される支持板部１４とを備えている。また、枠材１１の縦板部の下端部には、上記床パネル体１０を床基盤１上に支持する支持具３０が当接する支持具当接板部１５を設けている。この支持具当接板部１５の先端には補強用の立上り板部１５ａが形成されている。さらに、各枠材１１の支持板部１４には、等間隔に５つの木ねじ貫通用の孔が開設され、その両端部に２つのボルト貫通孔１９が開設されている。
【００２２】
そして、床板材２０の端縁には、その略中央部に水平方向に上記枠材１１の嵌入板部１３が挿入される係合溝部２１が形成されている。また、この端縁において係合溝部２１より上部には上記枠材１１の嵌入板部１３の上側に突出して上面に被さる棚部が形成されている。
【００２３】
また、床パネル体１０の両端に配置される床板材２０には、ボルト貫通孔２４が開設されている。このボルト貫通孔２４は床板材２０上面側に、締付部材６０の頭部６２が没入する拡径部２５が形成されている。このボルト貫通孔２４の開設位置は、組み立て時に上記枠材１１の貫通孔１９と一致するものとしている。
【００２４】
また、本例において、床板材２０は、図２及び図３に示すように、各床パネル体１０は各床板材２０の間に隙間を設け、枠材１１に配置されている。そして、本例において、枠材１１と、床板材２０とは、木ねじで固定され、該木ねじは、枠材１１の支持板部１４に開設された孔を通して床板材２０にねじ込まれる。また、この組み立てに接着剤を併用してもよい。
【００２５】
そして、相対向する一対の枠材１１の間には複数の木製床板材２０をそれぞれの床板材の間に隙間を開けて一方向に並べて取り付け簀子板状に形成するものとしている。また、本例において、床パネル体１０の隅部は、図２に示すように、隅取り、若しくはアールを設けて形成されており、下記支持具３０のねじ棒３３の上方への突出部を挟みこむようにしている。
【００２６】
そして、本例では、上記隣接する複数の床パネル体１０を同時に支持する支持具３０を備えている。この支持具３０は、床基盤１からの高さ位置を変更可能として構成している。即ち、本実施の形態において、床構造は図１乃至図３に示すように、隣接する４台の正方形状の床パネル体１０の隅部を近接させて配置し、この近接した４台の床パネル体１０の隅部１０ａを床基盤１からの高さ位置を同時に支承する支持具３０を設けるものとしている。このとき、床パネル体１０の床板材２０の取り付け方向を隣接する各床パネル体１０で直交するようにすると見栄えがよい。
【００２７】
本例では支持具３０は、図１乃至図５に示すように床パネル体１０にその上面が当接する略円板状の支持板３１と、この支持板３１を床基盤１からの高さ位置変更可能に保持する保持具３２と、床パネル体１０を上記支持板３１に締結する固定部材７０とからなる。
【００２８】
この固定部材７０は、上記支持板の雌ねじ部に床側からねじ込まれ、頭部を備えたボルト５０と、このボルト５０のねじ部５２先端にねじ込まれる雄ねじ部６１及び前記支持板との間で上記床パネルを挟む頭部６２を供えた締付部材６０とからなる。
【００２９】
そして本例では、ボルト５０は六角の頭部５１を備えるとともに頭部端面にドライバのビットが差し込める十字の切り込みを設けているものである。
【００３０】
本例に係る締付部材６０は、図５（１），（２）に示すように、回転工具である六角棒レンチが係合する六角孔状の係合部６４を備えた頭部６２と、この頭部６２から延設され床パネル体１０に穿設されたボルト貫通孔２４よりやや小さい直径を備えた筒鞘部６３とからなり、該筒鞘部６３に雌ねじ部６１を形成してなる。
【００３１】
上記保持具３２は、図１に示すように、従来例に示したもの同様に、ねじ棒３３と、このねじ棒３３の下端に設けられた平板部３４と、この平板部３４を床基盤１上に回動可能に支承する弾力体例えば硬質ゴムで形成された支持台部３５とからなる。また、ねじ棒３３の上端部には、ねじ棒３３回転用の係合凹部３６を設けている。このねじ棒３３の上端部を上記床パネル体１０の隅部１０ａ間から回転して、支持板３１の床基盤１からの高さを変えることができるものとしている。
【００３２】
前記支持板３１は、図４に示すようにその中央部に上記ねじ棒３３がねじ込まれる雌ねじ部４０が内部に形成され、下方に向けて突出するようヘミング形成されたねじ棒螺合部３７が形成されている。
【００３３】
また、この支持板３１には、前記ねじ棒螺合部３７を中心とした円周上に９０度ずつ離れて、上記床パネル体１０の係合孔１６に嵌まり、床パネル体１０と支持具３０との位置関係を定める係合突起３８が４か所に形成されている。この係合突起３８は上方に突出し、内部には上記床パネル体１０を固定するためのボルト５０が螺合する雌ねじ部４２が形成されヘミング加工で形成されている。また、この支持板３１の周縁は下方に向け、垂下縁部３９を形成している。
【００３４】
本例に係る床パネル体支持具を使用して床構造を形成するには、使用する支持具３０について支持板３１の４か所の雌ねじ部４２にボルト５０を床基盤側からボルト５０の頭部５１が支持板３１に当接するまで電動工具等でねじ込む。そして、１台の床パネル体１０の四方の隅部に４台の支持具３０を配置する。これは、床パネル体１０の枠材１１の支持具当接板部１５端縁を係合突起３８に接触させると共に、４つのボルト貫通孔２４に各支持具３０の支持板３１に立設されたボルト５０を嵌め込み、床パネル体１０の上方から締付部材６０の筒鞘部６３を床パネル体１０のボルト貫通孔２４に差し込み、電動工具等を用いボルト５０にねじ込む。そして床パネル体の四隅に支持具３０が取り付けられた状態で床パネル体１０をコンクリートスラブ１上に配置する。このとき、隅部に配置した支持具３０のねじ棒３３を適宜回動して、床パネル体１０の隅部のコンクリートスラブ１からの高さを調整し、水平度と高さを調整する。
【００３５】
そして隣接する床パネル体１０を、すでに設置した支持具３０を使用しつつ、残りの隅部に新たな支持具３０を取付けて、同様に設置していく。このとき、あらかじめ床パネル体支持具３０の支持板３１にはボルト５０が床基盤側からボルト５０の頭部５１が支持板３１の床基盤側面に接触するまでねじ込まれているので、床パネル体１０に形成されたボルト貫通孔２４にボルト５０を挿入でき床パネル体支持具３０上に床パネル体１０を容易に配置できる。また、締付部材をねじ込む。このとき締付部材の筒鞘部を床パネル体の孔部に挿入するだけで締付部材の雌ねじ部をボルトのねじ部先端に容易に位置合わせし、ねじ込むことができる。
【００３６】
このとき、図６及び図７に示すように、ボルト５０の長さ寸法がボルト５０の先端が床板材２０のボルト貫通孔２４内に配置でき、かつ締付部材６０の筒鞘部６３を形成した雌ねじ部６１をねじ込むことができるものであれば、図８に示すように締付部材６０をねじ込み、床板材２０を支持板３１上に固定することができる。この場合にあっては、締付部材６０を取り外す際にも上記手順と逆の手順をとることにより取り外すことができる。
【００３７】
また、図９に示すように、ボルト５０の長さ寸法がボルト５０の先端が床板材２０のボルト貫通孔２４から突出するものであったとしても、この突出長さ分を締付部材６０の筒鞘部６３に形成した雌ねじ部６１内に収納できるものであれば、図１０に示すように締付部材６０がねじ込まれ、ボルト５０の先端が締付部材６０の雌ねじ部６１の終端までねじ込まれて、締付部材６０を回転することにより締付部材６０と共にボルト５０が回転してボルト５０のねじ部５２が支持板３１の雌ねじ部４２にねじ込まれ、床板材２０を支持板３１上に固定することができる。このような場合にあっては、締付部材６０を取り外す際には、締付部材６０を緩み方向に回転すると締付部材６０と共にボルト５０が回転してボルト５０のねじ部５２が支持板３１の雌ねじ部４２に対して上側に移動していき、ボルト５０の頭部５１が支持板３１に接触したときから締付部材６０がボルト５０のねじ部５２から外れていき、最終的に締付部材６０をボルト５０から取り外すことができる。
【００３８】
本例では上述した手順により、所定数の床パネル体１０を床基盤１上に設置する。床パネル体１０の設置後において、床パネル体の高さを調整するには、床パネル体の間から、ねじ棒３３の頭に設けた係合凹部３６にドライバ等の工具を係合させて、ねじ棒３３を回動すればよい。
【００３９】
ねじ棒３３を回動することにより、支持具３０の支持板３１のコンクリートスラブ１からの高さ位置を変更することができ、これにより、床パネル体１０の四方の隅部の高さ位置を変更することができる。
【００４０】
また、本実施の形態において、床構造は、図１１及び図１２に示すように、床パネル体１０が敷き並べられて構成された床面の端縁１０ｂと、床基盤１の端縁の立ち上り部２との間に、支持具１５０で床基盤１からの高さ位置を変更可能に支持された板状の隙間調整部材１００を配置するものとすることができる。この支持具１５０は、ボルト１５１を硬質ゴム製の支持台１５２上に立設し、上記隙間調整部材１００を高さ調整可能に支承するものである。
【００４１】
また、このとき床への敷設面積を調整するため、床パネル体として上記略正方形に形成した床パネル体１０の半分の大きさの床パネル体１１０，１２０を使用することができる。上述した床パネル体１０と同様に組み立てられる。
【００４２】
ここで隙間調整部材１００を床面の両縁に設けるとすると、調整部材１００の幅寸法Ｗ，ｗは、上記半分寸法の床パネル体１１０，１２０の半分以下の寸法のものを準備すればよい。
【００４３】
したがって、本実施の形態によれば、コンクリートスラブ１上に床パネル体１０、１１０、１２０、及び隙間調整部材１００を支持具３０で任意の高さに支承することができるので、図１１に示すように、必要な広さのコンクリートスラブ１上に木床面を構成することができる。
【００４４】
〔他の実施の形態の床構造〕
【００４５】
図１３は、支持具３０のねじ棒３３を、床基盤１に形成した孔部２３４に接着剤２３３で固定した例を示している。尚図中上記第１の実施の形態と同一の部材には同一の符号を付している。また符号２３２は、ねじ棒３３に取り付けられた円盤状部材であり、内部に雌ねじ部が形成され接着剤２３３が硬化するまでの間ねじ棒３３を立設させるものである。
【００４６】
この例に係る床構造によれば、床パネル体１０の高さ調整は床パネル体１０を取り外したのち、支持板３１を適宜回転することによって行うことができるほかねじ棒３３が床基盤１に接着剤２３３で強固に取り付けられているので、床パネル体１０を床基盤１上に安定して取り付けることができる。
【００４７】
【発明の効果】
以上説明したように、本発明によれば、床構造を提供することができるという効果を奏する。
【図面の簡単な説明】
【図１】本発明に係る床構造の実施の一例を示す断面図である。
【図２】図１に示した床構造を示す斜視図である。
【図３】図１に示した床構造を示す斜視図である。
【図４】図１に示した床構造に使用する支持部材の支持板を示す図であり、（１）は平面図、（２）は正面図、（３）は（１）中のiii-iii 線に相当する断面図である。
【図５】図１に示した床構造に使用する支持部材の締付部材を示す図であり、（１）は平面図、（２）は部分断面側面図である。
【図６】図１に示した取付状態を示す部分断面図である。
【図７】図１に示した取付状態を示す部分断面図である。
【図８】図１に示した取付状態を示す部分断面図である。
【図９】図１に示した取付状態を示す部分断面図である。
【図１０】図１に示した取付状態を示す部分断面図である。
【図１１】本発明に係る床構造を示す床パネル体の配置図である  。
【図１２】図１１に示した床構造のXII-XII線断面拡大図である。
【図１３】本発明に係る他の支持具を示す断面図である。
【図１４】従来の床構造の断面図である。
【符号の説明】
１    コンクリートスラブ（床基盤）
１０  床パネル体
１６  係合孔
２０  床板材
２１  係合溝部
２２  棚部
２４  ボルト貫通孔
２５  拡径部
３０  支持具
３１  支持板
３２  保持具
３３  ねじ棒
３７  ねじ棒螺合部
３８  係合突起
３９  垂下縁部
４０  雌ねじ部
４２  雌ねじ部
５０  六角ボルト（ボルト）
５１  頭部
６０  締付部材
６１  雌ねじ部
６２  頭部
６３  筒鞘部
７０  固定部材
【図１】
0004328443.tif 000002
【図２】
0004328443.tif 000003
【図３】
0004328443.tif 000004
【図４】
0004328443.tif 000005
【図５】
0004328443.tif 000006
【図６】
0004328443.tif 000007
【図７】
0004328443.tif 000008
【図８】
0004328443.tif 000009
【図９】
0004328443.tif 000010
【図１０】
0004328443.tif 000011
【図１１】
0004328443.tif 000012
【図１２】
0004328443.tif 000013
【図１３】
0004328443.tif 000014
【図１４】
0004328443.tif 000015